(57)【要約】      （修正有）【課題】常駐電力システムのみが運転することで最良の電力節約を達成して環境保護要求に符合するようにする。【解決手段】常駐電力システム、低圧電力変換システム、高圧電力変換システムに起動点にあって分離する設計を採用し、僅かに常駐電力システムのみがディスプレイオフ状態の待機状態下で交流電源との電気的接続を維持して常駐電力を電源コントローラーに出力するようにし、低圧電力変換システム及び高圧電力変換システムをオフ状態とし、電源コントローラーが外部オンオフ信号を受信して起動する時に、駆動信号を出力して低圧電力変換システム及び高圧電力変換システムをオン或いはオフし、低圧電力或いは高圧電力のどちらを出力してディスプレイを駆動するかを決定する。【選択図】図１
0003113428.tif 000002
【実用新案登録請求の範囲】
【請求項１】
交流電源（１０）に接続されて電力変換してディスプレイを駆動するディスプレイの電源駆動回路において、該電源駆動回路は、
常駐電力システム（２０）であって、該交流電源（１０）と常態で電気的接続を維持し、該常駐電力システム（２０）はディスプレイのオン或いはオフに供される常駐電力を電源コントローラー（５０）に提供し、並びに電源コントローラー（５０）が外部オンオフ信号（７１）を受け取り並びに駆動信号（５１、５２）を出力する、上記常駐電力システム（２０）と、
低圧電力変換システム（３０）であって、該交流電源（１０）と常態で電気的接続を維持し、該低圧電力変換システム（３０）は駆動信号（５１）を受けてオン或いはオフされて低圧変換電力を出力してディスプレイの低電圧負荷（６１）を駆動するか否かを決定する、上記低圧電力変換システム（３０）と、
高圧電力変換システム（４０）であって、交流電源（１０）と常態で電気的接続を維持し、該高圧電力変換システム（４０）は駆動信号（５２）を受けてオン或いはオフされて高圧変換電力を出力してディスプレイの高電圧負荷（６２）駆動するか否かを決定する、上記高圧電力変換システム（４０）と、
を包含したことを特徴とする、ディスプレイの電源駆動回路。
【請求項２】
請求項１記載のディスプレイの電源駆動回路において、常駐電力システム（２０）が交流電源（１０）との間に開閉スイッチ（２２）を具えたことを特徴とする、ディスプレイの電源駆動回路。
【請求項３】
請求項１記載のディスプレイの電源駆動回路において、電源コントローラー（５０）がスイッチ開閉回路或いはマイクロコントローラーとされたことを特徴とする、ディスプレイの電源駆動回路。
【請求項４】
請求項１記載のディスプレイの電源駆動回路において、常駐電力システム（２０）、低圧電力変換システム（３０）及び高圧電力変換システム（４０）は個別に交流電源（１０）との間にあって、整流器（２１、３１、４１）に電気的に接続されるか、常駐電力システム（２０）と低圧電力変換システム（３０）が交流電源（１０）との間にあって電気的に接続された整流器（３１）を共用し、且つ高圧電力変換システム（４０）が独立して別の整流器（４１）を具えたことを特徴とする、ディスプレイの電源駆動回路。
【考案の詳細な説明】
【技術分野】
【０００１】
本考案は一種のディスプレイの電源駆動回路に係り、特に、ディスプレイ電力を提供する電源駆動回路であって、ディスプレイのオフ状態にあって常駐電力システムが提供する常駐電力のみを電源コントローラーに提供し、残った低圧電力変換システム及び高圧電力変換システムがオフ状態とされ、これにより最良の電力節約を達成し環境保護要求に符合する、ディスプレイの電源駆動回路に関する。
【背景技術】
【０００２】
現在あるディスプレイの電源駆動方式は、交流電源より入力した交流電力を交流直流変換電源供給器を通して低圧直流電力（５Ｖ、１２Ｖ、２４Ｖ、４８Ｖ等の規格に区分され、出力規格は各メーカーの製品により定められる）。この低圧直流電力は、ディスプレイの低電圧負荷の使用に供され、低電圧負荷の多くはディスプレイ駆動パネル、ビデオ処理回路板、スピーカ等の設備を包含し、この低圧直流電力は別に分かれて高圧電力変換システムに出力され、この高圧電力変換システムは低圧直流電力を昇圧の後に高圧電力駆動ディスプレイの高電圧負荷を駆動し、この高電圧負荷はガス放電ランプ（例えば冷陰極ランプ）のディスプレイ用バックライトモジュールとされる。
【０００３】
ただし、環境保護観念の台頭により、電源駆動回路設計は電気製品のパワー因子（Ｐｏｗｅｒ  ｆａｃｔｏｒ）或いは効率を高めることによって最良の電力節約効果を達成でき、低圧電力変換システムも同様にパワー因子校正器を具備することで低消耗電力の要求を達成する。しかし、液晶ディスプレイのサイズ規格に対する要求が日増しに増し、特に液晶テレビの大サイズ要求により、高電圧負荷の必要とする駆動パワーも増大し、既存の高圧電力変換システムの電力ソースは低圧電力変換システムの低圧直流電力に決定されるため、大サイズ規格（例えば３２インチ或いは４０インチ）の液晶テレビは大パワー出力の低圧電力変換システムの設計を必要とし、アクティブ式パワー因子校正器の規格がますます複雑となり製造が難しくなる。また、既存のパワー因子校正器の多くは静電容量式充電放電効果を利用して達成され、これは例えば常態で交流電源との電気的接続を維持する低圧電力変換システムに、ディスプレイがオフされて待機モード状態にあっても一定の電力損耗を形成させ、このため厳格な電力環境保護規範（例えば待機パワー損耗１Ｗ以下の低電力消耗要求）に符合しない。
【考案の開示】
【考案が解決しようとする課題】
【０００４】
本考案の主要な目的は、上述の欠点を解決し、欠点の存在を無くすことにあり、即ち、本考案は常駐電力システム、低圧電力変換システム、高圧電力変換システムに起動点にあって分離する設計を採用し、僅かに常駐電力システムのみがディスプレイオフ状態の待機状態下で交流電源との電気的接続を維持して常駐電力を電源コントローラーに出力するようにし、低圧電力変換システム及び高圧電力変換システムをオフ状態とし、電源コントローラーが外部オンオフ信号を受信して起動する時に、駆動信号を出力して低圧電力変換システム及び高圧電力変換システムをオン或いはオフし、低圧電力或いは高圧電力のどちらを出力してディスプレイを駆動するかを決定し、これによりディスプレイがオフ状態にあって、僅かに常駐電力システムのみが運転することで最良の電力節約を達成して環境保護要求に符合するようにする。
【課題を解決するための手段】
【０００５】
請求項１の考案は、交流電源（１０）に接続されて電力変換してディスプレイを駆動するディスプレイの電源駆動回路において、該電源駆動回路は、
常駐電力システム（２０）であって、該交流電源（１０）と常態で電気的接続を維持し、該常駐電力システム（２０）はディスプレイのオン或いはオフに供される常駐電力を電源コントローラー（５０）に提供し、並びに電源コントローラー（５０）が外部オンオフ信号（７１）を受け取り並びに駆動信号（５１、５２）を出力する、上記常駐電力システム（２０）と、
低圧電力変換システム（３０）であって、該交流電源（１０）と常態で電気的接続を維持し、該低圧電力変換システム（３０）は駆動信号（５１）を受けてオン或いはオフされて低圧変換電力を出力してディスプレイの低電圧負荷（６１）を駆動するか否かを決定する、上記低圧電力変換システム（３０）と、
高圧電力変換システム（４０）であって、交流電源（１０）と常態で電気的接続を維持し、該高圧電力変換システム（４０）は駆動信号（５２）を受けてオン或いはオフされて高圧変換電力を出力してディスプレイの高電圧負荷（６２）駆動するか否かを決定する、上記高圧電力変換システム（４０）と、
を包含したことを特徴とする、ディスプレイの電源駆動回路としている。
請求項２の考案は、請求項１記載のディスプレイの電源駆動回路において、常駐電力システム（２０）が交流電源（１０）との間に開閉スイッチ（２２）を具えたことを特徴とする、ディスプレイの電源駆動回路としている。
請求項３の考案は、請求項１記載のディスプレイの電源駆動回路において、電源コントローラー（５０）がスイッチ開閉回路或いはマイクロコントローラーとされたことを特徴とする、ディスプレイの電源駆動回路としている。
請求項４の考案は、請求項１記載のディスプレイの電源駆動回路において、常駐電力システム（２０）、低圧電力変換システム（３０）及び高圧電力変換システム（４０）は個別に交流電源（１０）との間にあって、整流器（２１、３１、４１）に電気的に接続されるか、常駐電力システム（２０）と低圧電力変換システム（３０）が交流電源（１０）との間にあって電気的に接続された整流器（３１）を共用し、且つ高圧電力変換システム（４０）が独立して別の整流器（４１）を具えたことを特徴とする、ディスプレイの電源駆動回路としている。
【考案の効果】
【０００６】
本考案のディスプレイの電源駆動回路は、ディスプレイ電力を提供する電源駆動回路であって、ディスプレイのオフ状態にあって常駐電力システムが提供する常駐電力のみを電源コントローラーに提供し、残った低圧電力変換システム及び高圧電力変換システムがオフ状態とされ、これにより最良の電力節約を達成し環境保護要求に符合するものとされる。
【考案を実施するための最良の形態】
【０００７】
図１は本考案の第１実施例の回路ブロック図である。図示されるように、本考案は交流電源（１０）に電気的接続されて電力を変換してディスプレイを駆動し、該電源駆動回路は、
常駐電力システム（２０）であって、該交流電源（１０）と常態で電気的接続を維持し、該常駐電力システム（２０）はディスプレイのオン或いはオフに供される常駐電力を電源コントローラー（５０）に提供し、並びに電源コントローラー（５０）が外部オンオフ信号（７１）を受け取り並びに駆動信号（５１、５２）を出力する、上記常駐電力システム（２０）と、
低圧電力変換システム（３０）であって、該交流電源（１０）と常態で電気的接続を維持し、該低圧電力変換システム（３０）は駆動信号（５１）を受けてオン或いはオフされて低圧変換電力を出力してディスプレイの低電圧負荷（６１）を駆動するか否かを決定する、上記低圧電力変換システム（３０）と、
高圧電力変換システム（４０）であって、交流電源（１０）と常態で電気的接続を維持し、該高圧電力変換システム（４０）は駆動信号（５２）を受けてオン或いはオフされて高圧変換電力を出力してディスプレイの高電圧負荷（６２）駆動するか否かを決定する、上記高圧電力変換システム（４０）と、
を包含する。
【０００８】
本実施例の常駐電力システム（２０）が交流電源（１０）及び高圧電力変換システム（４０）は個別に交流電源（１０）との間にあって、整流器（２１、３１、４１）に電気的に接続される。図２に示される第２実施例と図１に示される第１実施例との違いは、常駐電力システム（２０）と低圧電力変換システム（３０）と交流電源（１０）との間に電気的に接続された共用の整流器（３１）があり、且つ該高圧電力変換システム（４０）が独立して整流器（４１）を具えていることであるが、ただしこの二種類の整流実施方式は周であるため、以下に本考案を第１実施例を以て説明し、第２実施例の説明は省略する。
【０００９】
本考案を液晶ディスプレイを以て説明すると、常駐電力システム（２０）は交流電源（１０）との間に開閉スイッチ（２２）を具え、この開閉スイッチ（２２）は一般に液晶ディスプレイの前端パネル下方に設計され、この開閉スイッチ（２２）は閉じたオン状態とされ、即ち交流電源（１０）と該常駐電力システム（２０）は常態で電気的接続状態を維持する。この時、交流電源（１０）の出力する交流電力は整流器（２１）と常駐電力システム（２０）により直流電力に変換されて電源コントローラー（５０）に出力される。そのうち、該電源コントローラー（５０）はスイッチオンオフ回路或いはマイクロコントローラーとされ、且つ電源コントローラー（５０）は常駐電力システム（２０）中にビルトインされるか、或いは液晶ディスプレイの低電圧負荷（６１）のビデオ処理回路中にビルトインされるか、或いは単独で分離して構築される。このとき、使用者は液晶ディスプレイを起動すると、リモートコントローラー（７０）が無線外部オンオフ信号（７１）を発射し、電源コントローラー（５０）がこの外部オンオフ信号（７１）を受け取ると、駆動信号（５１、５２）を出力して低圧電力変換システム（３０）を駆動し、交流電源（１０）の交流電力を低圧直流電力（５Ｖ、１２Ｖ、２４Ｖ、４８Ｖ規格に区分され、出力規格はメーカーの製造する製品により定められる）に変換し、この低圧直流電力がディスプレイの低電圧負荷（６１）の使用に供され、低電圧負荷（６１）は多くの場合、ディスプレイ駆動パネル、ビデオ処理回路板、スピーカ等の設備を包含し、高圧電力変換システム（４０）は交流電源（１０）より入力した交流電源を電力変換し昇圧した後に高圧電力を出力してディスプレイの高電圧負荷（６２）を駆動し、この高電圧負荷（６２）はガス放電ランプ（例えば冷陰極ランプ）を具えたディスプレイのバックライトモジュールとされる。
【００１０】
以上の実施例の説明から分かるように、本考案の液晶ディスプレイがオフ状態にある時（リモートコントローラー（７０）が出力する外部オンオフ信号（７１）がオフ信号とされる）、電源コントローラー（５０）は低圧電力変換システム（３０）及び高圧電力変換システム（４０）をオフし、これにより液晶ディスプレイが待機状態にある時、僅かに低圧電力の常駐電力システム（２０）のみが作動し、有効に節電の環境保護要求を達成する。
【００１１】
以上は本考案の好ましい実施例の説明であって、本考案の実施範囲を制限するものではなく、本考案に基づきなしうる細部の修飾或いは改変は、いずれも本考案の請求範囲に属するものとする。
【図面の簡単な説明】
【００１２】
【図１】本考案の第１実施例の回路ブロック図である。
【図２】本考案の第２実施例の回路ブロック図である。
【符号の説明】
【００１３】
（１０）交流電源
（２０）常駐電力システム
（２２）開閉スイッチ
（２１、３１、４１）整流器
（３０）低圧電力変換システム
（４０）高圧電力変換システム
（５０）電源コントローラー
（５１、５２）駆動信号
（６１）低電圧負荷
（６２）高電圧負荷
（７０）リモートコントローラー
（７１）外部オンオフ信号
【図１】
0003113428.tif 000003
【図２】
0003113428.tif 000004